(57)【要約】【課題】快適な着用感を損なうことなく、バストの両脇の脂肪等を含めて総合的にバストを寄せ上げるように補整可能なカップ付衣類を提供する。【解決手段】左右一対のカップ部２，３がベースパネル４に接合され、ベースパネル４の左右脇部４０がバック部６，７に接合され、各カップ部２，３の上縁と各バック部６，７の上縁とがショルダーストラップ８，９で接合されているカップ付衣類１であって、非伸縮性の生地で構成されるサイドパネル１０，１１が、前中心側の側縁を各カップ部２，３から遊離させた状態で、各カップ部２，３の脇側外面を覆うように配置され、各サイドパネル１０，１１の下縁がベースパネル４の下縁で各カップ部２，３のバストトップの直下近傍からベースパネル４の脇部にかけて接合されるとともに、各サイドパネル１０，１１の上縁がベースパネル４の脇部上縁から各カップ部の脇側傾斜縁の上縁にかけて接合されている。【選択図】図１
2015048559.tif 000002
【特許請求の範囲】
【請求項１】
左右一対のカップ部がベースパネルに接合され、前記ベースパネルの左右脇部がバック部に接合され、各カップ部の上縁と各バック部の上縁とがショルダーストラップで接合されているカップ付衣類であって、
少なくとも上下に沿う方向に非伸縮性または難伸縮性を示すように一対のサイドパネルが、前中心側の側縁を各カップ部から遊離させた状態で、各カップ部の脇側外面を覆うように配置され、
各サイドパネルの下縁が前記ベースパネルの下縁で各カップ部のバストトップの直下近傍から前記ベースパネルの脇部にかけて接合されるとともに、各サイドパネルの上縁が前記ベースパネルの脇部上縁から各カップ部の脇側傾斜縁の上縁にかけて接合されているカップ付衣類。
【請求項２】
各サイドパネルの上層に各カップ部の化粧用パネルと同じデザインの化粧用パネルが配置されている請求項１記載のカップ付衣類。
【請求項３】
各サイドパネルの上縁が各カップ部の脇側傾斜上縁を経由して各ショルダーストラップに接合され、前記前中心側の側縁が各ショルダーストラップへの接合位置からバストトップよりも脇側を通過して各カップ部のバストトップの直下近傍に位置するように配置されている請求項１または２記載のカップ付衣類。
【発明の詳細な説明】
【技術分野】
【０００１】
本発明は、バストを中央に寄せ、且つ上方に持ち上げるような補整効果を有するカップ付衣類に関する。
【背景技術】
【０００２】
特許文献１には、脇部に過度の圧迫を加えることなく、脇部及びバスト全体を自然かつ適度に補整するバストの補整機能を備えた衣類として、乳房を収容するカップ部の脇部寄りに、少なくとも縦方向に伸縮性のある布地からなる当て布を、該当て布の長辺がカップ部の内側で下部から上方にかけて縦断、あるいはカップ部の下部から側部上方にかけて斜行するよう配置し、該当て布が衣類本体より遊離し、かつ縦方向に所定の張力を有するよう、該長辺の上端をストラップに固着し、当て布の下辺をカップ部の着用時にバージスライン部となる部分より下側に固着し、当て布の側部の短辺あるいは下辺の一端を着用時にバージスライン脇部となる部分より外側に固着した衣類が提案されている。
【０００３】
また、特許文献２には、乳房が外へ流れるのを防止し、且つ高い寄せ上げ機能を発揮してバストを自然で美しい形状に造形することができ、重量が加わる乳房下部への圧力を分散させて食い込みを防ぎ、しかも製造が容易なカップ付き女性用衣類として、左右のカップ部の脇側周縁及び下縁脇側寄りに沿って伸長し難く、且つ可撓性がある素材より成り、下端の幅が上端の幅よりも広い細幅のサポートシートを装着した衣類が提案されている。
【先行技術文献】
【特許文献】
【０００４】
【特許文献１】特開平１０−２５１９０４号公報
【特許文献２】特開２００２−１９４６０２号公報
【発明の概要】
【発明が解決しようとする課題】
【０００５】
しかし、特許文献１に記載されたカップ付衣類は、カップ部の内側脇部寄りに前中心側が遊離するように伸縮性のある当て布を配置した構成であるため、当て布がバストに部分的に接触することとなり、不快なごろつき感を感じるという問題や、当て布がバストを寄せ上げる反力でカップ部の形状に歪が発生して、着用者に違和感を与えるという問題があった。
【０００６】
また、特許文献２に記載されたカップ付衣類は、サポートシートがカップ部に内装されているため、サポートシートによるバストのサポート機能がカップで受け止められたバスト領域に限定され、バストの両脇の脂肪等を含めた総合的なバストの補整機能を実現することができないという問題があった。
【０００７】
本発明の目的は、上述した問題点に鑑み、快適な着用感を損なうことなく、バストの両脇の脂肪等を含めて総合的にバストを寄せ上げるように補整可能なカップ付衣類を提供する点にある。
【課題を解決するための手段】
【０００８】
上述の目的を達成するため、本発明によるカップ付衣類の第一の特徴構成は、特許請求の範囲の書類の請求項１に記載した通り、左右一対のカップ部がベースパネルに接合され、前記ベースパネルの左右脇部がバック部に接合され、各カップ部の上縁と各バック部の上縁とがショルダーストラップで接合されているカップ付衣類であって、少なくとも上下に沿う方向に非伸縮性または難伸縮性を示すように一対のサイドパネルが、前中心側の側縁を各カップ部から遊離させた状態で、各カップ部の脇側外面を覆うように配置され、各サイドパネルの下縁が前記ベースパネルの下縁で各カップ部のバストトップの直下近傍から前記ベースパネルの脇部にかけて接合されるとともに、各サイドパネルの上縁が前記ベースパネルの脇部上縁から各カップ部の脇側傾斜縁の上縁にかけて接合されている点にある。
【０００９】
上述の構成によれば、下縁がベースパネルの下縁で各カップ部のバストトップの直下近傍からベースパネルの脇部にかけて接合され、上縁がベースパネルの脇部上縁から各カップ部の脇側傾斜縁の上縁にかけて接合されたサイドパネルにショルダーストラップからの張力が作用すると、カップ部で受け止められた乳房のうち脇部及び下部が上下方向に非伸縮性または難伸縮性のサイドパネルによって押圧され、前中心上側に寄せ上げられるようになる。このとき、サイドパネルの前中心側の側縁が各カップ部から遊離しているためにカップ部の形状が損なわれることがない。しかも、カップ部よりも脇部に延在するサイドパネルによって乳房の脇部の脂肪や筋肉も併せて前中心上側に寄せ上げられるので、バストのボリューム感が増して美しいシルエットが得られるようになる。
【００１０】
同第二の特徴構成は、同請求項２に記載した通り、上述の第一の特徴構成に加えて、各サイドパネルの上層に各カップ部の化粧用パネルと同じデザインの化粧用パネルが配置されている点にある。
【００１１】
サイドパネルの上層に化粧用パネルを重畳配置することによって、カップ付衣類のデザイン性を損なうことなく、サイドパネルによる補整機能を実現することができ、仮に化粧用パネルが伸縮性を備えていても、サイドパネルによる補整機能が損なわれることがないので、デザインが同じで非伸縮性の化粧用パネルを別途準備する必要もない。
【００１２】
同第三の特徴構成は、同請求項３に記載した通り、上述の第一または第二の特徴構成に加えて、各サイドパネルの上縁が各カップ部の脇側傾斜上縁を経由して各ショルダーストラップに接合され、前記前中心側の側縁が各ショルダーストラップへの接合位置からバストトップよりも脇側を通過して各カップ部のバストトップの直下近傍に位置するように配置されている点にある。
【００１３】
サイドパネルの上縁がカップ部の脇側傾斜上縁を経由してショルダーストラップに接合されることにより、ショルダーストラップによる引上げ力（張力）が効果的にサイドパネルに伝達されるようになる。そして、サイドパネルの前中心側の側縁が、ショルダーストラップへの接合位置からバストトップよりも脇側を通過して各カップ部のバストトップの直下近傍に位置するので、カップ部で受け止められた乳房のうち脇部及び下部が前中心上側に効果的に寄せ上げられるようになる。
【発明の効果】
【００１４】
以上説明した通り、本発明によれば、快適な着用感を損なうことなく、バストの両脇の脂肪等を含めて総合的にバストを寄せ上げるように補整可能なカップ付衣類を提供することができるようになった。
【図面の簡単な説明】
【００１５】
【図１】（ａ）は本発明によるカップ付衣類の正面図、（ｂ）は同カップ付衣類の要部背面図
【図２】（ａ）は本発明によるカップ付衣類の要部構成図、（ｂ）はサイドパネルの説明図、（ｃ）はカップ付衣類の全体説明図
【図３】（ａ）は本発明によるカップ付衣類に配置されたサイドパネルの説明図、（ｂ）は本発明によるカップ付衣類を着用した際の機能説明図
【発明を実施するための形態】
【００１６】
以下、本発明によるカップ付衣類の一例であるブラジャーについて説明する。
図１（ａ）にはブラジャーの正面図、図１（ｂ）にはブラジャーの要部背面図が示されている。また、図２（ａ）にはブラジャーの製造過程の要部正面図、図２（ｂ）にはサイドパネルの説明図、図２（ｃ）には最終製品となるブラジャーの一部を切り欠いた状態の説明図が示されている。
【００１７】
図１（ａ），（ｂ）に示すように、ブラジャー１は、左右一対のカップ部２，３がベースパネル４に接合され、ベースパネル４の左右脇部４０がバック部６，７に接合されている。各カップ部２，３の上縁２ａ，３ａと各バック部６，７の上縁６ａ，７ａとがそれぞれショルダーストラップ８，９の端部と接合されている。尚、以下の説明では、「接合」との用語を「縫製」或いは「縫着」と表現するが、本発明で用いる「接合」との用語は、「縫製」等に限らず、接着材を用いて生地同士を接着する概念をも含む。
【００１８】
カップ部２，３は左右のバストを覆う左右一対の肌側カップパネル２Ｂ，３Ｂと化粧用パネルとなる表側カップパネル２Ｆ，３Ｆで構成されている。表側カップパネル２Ｆ，３Ｆは立体形状のカップ部２，３の表面に添うように上下に分割された柄付のパワーネットが使用され、さらにその上縁部にレース生地が配置されている。後述のバック部６，７のデザインに揃えるために柄付のパワーネットが使用されているが、パワーネット以外の生地を用いることも可能で、例えば装飾用のレース生地等を用いることができる。
【００１９】
肌側カップパネル２Ｂ，３ＢはバストトップＴの上側を覆う上パネル２１，３１と、バスト下部の前中心側を覆う中央パネル２２，３２と、バスト下部の脇側を覆う脇パネル２３，３３を備え、各パネルの間に補強テープを介して互いに縫着して立体形状のカップ部２，３を形成している。肌側カップパネル２Ｂ，３Ｂは肌側が綿やレーヨン等の吸収性のよい編生地等で被覆された不織布等で構成されている。
【００２０】
左右のカップ部２，３は、前中心で左右対称に配置されるように一枚のベースパネル４に縫着されている。ベースパネル４は経編地で横伸びに強い非伸縮性のマーキゼットが使用されている。本実施形態では、ベースパネル４にバック部６，７が縫着されているが、ベースパネル４とバック部６，７との間に別途の脇パネルが介在するように構成されていてもよい。尚、この場合、脇パネルもマーキゼット等の非伸縮性または難伸縮性の生地を使用するのが好ましい。
【００２１】
左右のカップ部２，３の下縁には、芯材収容部２Ｃ，３Ｃが縫着され、バージスラインに沿うように芯材となるワイヤーＷが収容され、芯材収容部２Ｃ，３Ｃの肌側に補強テープが設けられている。
【００２２】
ベースパネル４の左右端部に縫着されたバック部６，７は、身幅方向に伸縮性を備えたパワーネットが使用され、各端部には留め具１５，１６が設けられている。
【００２３】
ベースパネル４及びバック部６，７の下縁肌側には、肌触りのいい伸縮性の縁テープ１７が縫着され、バック部６，７の上縁、ベースパネル４の脇部上縁４ａ及び各カップ部２，３の脇側傾斜上縁２ａ，３ａにも、肌触りのいい伸縮性の縁テープ１８が縫着されている。
【００２４】
さらに、非伸縮性生地で構成される一対のサイドパネル１０，１１が、前中心Ｆ側の側縁１０ｃ，１１ｃを各カップ部２，３から遊離させた状態で、各カップ部２，３の脇側外面を覆うように配置されている。
【００２５】
図２（ｂ）に示すように、サイドパネル１０，１１はベースパネル４と同様にマーキゼットが用いられ、その上層に各カップ部２，３の化粧用パネルと同じデザインの化粧用パネル１２，１３が重畳するように一体に縫製されている。
【００２６】
図２（ａ），（ｃ）に示すように、各サイドパネル１０，１１の下縁１０ｂ，１１ｂは、ベースパネル４の下縁４ｂで各カップ部２，３のバストトップＴの直下Ｐ近傍からベースパネル４の脇部にかけた下縁４ｂに縫着されるとともに、各サイドパネル１０，１１の上縁１０ａ，１１ａは、ベースパネル４の脇部上縁４ａから各カップ部２，３の脇側傾斜上縁２ａ，３ａにかけて縫着されている。図２（ｃ）には、化粧用パネル１２の一部が切り欠かれた状態が示されており、化粧用パネル１２の背面に配置されるサイドパネル１０の一部が視認できる。
【００２７】
下縁１０ｂ，１１ｂがベースパネル４の下縁４ｂで各カップ部２，３のバストトップＴの直下Ｐ近傍からベースパネル４の脇部４０にかけて縫着され、上縁１０ａ，１１ａがベースパネル４の脇部上縁４ａから各カップ部２，３の脇側傾斜上縁２ａ，３ａにかけて縫着されたサイドパネル１０，１１にショルダーストラップ８，９からの張力が作用すると、カップ部２，３で受け止められた乳房のうち脇部及び下部が上下方向に非伸縮性のサイドパネル１０，１１によって押圧され、前中心Ｆ上側に向けて寄せ上げられるようになる。
【００２８】
このとき、サイドパネル１０，１１の前中心Ｆ側の側縁１０ｃ，１１ｃが各カップ部２，３から遊離しているためにカップ部２，３の輪郭形状が損なわれることがない。しかも、カップ部２，３よりも脇部に延在するサイドパネル１０，１１によって乳房の脇部の脂肪や筋肉も併せて前中心Ｆ上側に寄せ上げられるので、バストのボリューム感が増して美しいシルエットが得られるようになる。
【００２９】
上述のように、サイドパネル１０，１１の上層に化粧用パネル１２，１３を重畳配置することによって、ブラジャーのデザイン性を損なうことなく、サイドパネル１０，１１による補整機能を実現することができる。
【００３０】
化粧用のパネル１２，１３が伸縮性を備えていても、サイドパネルによる補整機能が損なわれることがないので、カップ部２，３の上パネル２１，３１とデザインが同じで非伸縮性の化粧用パネルを別途準備する必要もない。
【００３１】
各サイドパネル１０，１１の上縁１０ａ，１１ａが各カップ部２，３の脇側傾斜上縁２ａ，３ａを経由して各ショルダーストラップ８，９に一端に接合され、前中心Ｆ側の側縁１０ｃ，１１ｃが各ショルダーストラップ８，９への接合位置からバストトップよりも脇側を通過して各カップ部２，３のバストトップＴの直下Ｐ近傍に位置するように配置されている。
【００３２】
このような構成によって、サイドパネル１０，１１の上縁１０ａ，１１ａがカップ部２，３の脇側傾斜上縁２ａ，３ａを経由してショルダーストラップ８，９の一端に接合されることにより、ショルダーストラップ８，９による引上げ力（張力）が効果的にサイドパネル１０，１１に伝達されるようになる。
【００３３】
そして、サイドパネル１０，１１の前中心Ｆ側の側縁１０ｃ，１１ｃが、ショルダーストラップ８，９への接合位置からバストトップＴよりも脇側を通過して各カップ部２，３のバストトップＴの直下Ｐ近傍に位置するので、カップ部２，３で受け止められた乳房のうち脇部及び下部が前中心Ｆの上側に効果的に寄せ上げられるようになる。
【００３４】
尚、サイドパネル１０，１１の前中心Ｆ側の側縁１０ｃ，１１ｃは、僅かに脇方向に凹形状となる緩やかな曲線に形成されることが好ましい。また、側縁１０ｃ，１１ｃがベースパネル４と交差する位置は、各カップ部２，３のバストトップＴの直下Ｐ近傍であることが好ましいが、側縁１０ｃ，１１ｃがバストトップＴの近傍を横切ることがない限り、前中心側にシフトさせても脇部側にシフトさせてもよい。
【００３５】
図３（ａ）には仮想的に化粧用のパワーネットの柄を取り除いたブラジャー１が示され、図３（ｂ）には当該ブラジャー１の着用状態が示されている。
【００３６】
非伸縮性の生地で構成されるサイドパネル１０，１１が配置されることにより、ショルダーストラップ８，９によってサイドパネル１０，１１が上方に牽引されることにより（図３（ｂ）中、ショルダーストラップ８，９に沿う方向の白抜きの矢印参照）、カップ部２，３の脇部がサイドパネル１０，１１から前中心Ｆ側上方に押圧されるとともに（図３（ｂ）中、バスト脇部から前中心方向の白抜きの矢印参照）、カップ部２，３の外側に位置する着用者の皮下脂肪等も前中心側上方に押圧される結果、バストのボリューム感が増して美しいシルエットが得られるようになる。
【００３７】
上述した実施形態では、サイドパネル１０，１１を構成する生地にマーキゼットを使用した例を説明したが、非伸縮性の生地であればマーキゼット以外の生地を用いてもよい。
【００３８】
また、サイドパネル１０，１１を構成する生地は、少なくともショルダーストラップ８，９によって引き上げられる上下に沿う方向に非伸縮性を示す生地であればよく、前中心Ｆ側に伸縮性を備えた生地を用いてもよい。
【００３９】
本発明が適用されるカップ付衣類はブラジャーに限定されるものではなく、ボディースーツ、ブラジャー付きスリップ等、カップ部を備えた衣類に広く適用することができる。
【産業上の利用可能性】
【００４０】
本発明によるカップ付衣類は、快適な着用感を損なうことなく、バストの両脇の脂肪等を含めて総合的にバストを寄せ上げるように補整可能なブラジャー等として女性に広く利用される。
【符号の説明】
【００４１】
１：カップ付衣類（ブラジャー）
２，３：カップ部
４：ベースパネル
６，７：バック部
８，９：ショルダーストラップ
１０，１１：サイドパネル
【図１】
2015048559.tif 000003
【図２】
2015048559.tif 000004
【図３】
2015048559.tif 000005